(57)【要約】      （修正有）【課題】ケースを一回転させることでケース内に乱雑に収納された画鋲を、画鋲の針先に触れずに簡単に素早く指先で摘み取ることのできる、画鋲ケースを提供する。【解決手段】把持可能な横長状の蓋Ａ付きケースＢで透明性のあるプラスチック材で形成され、ケースＢ内側の一端側面に横長方向に均等な間隔でＵ字状の切込み１を入れたガイド板２を設ける、また該ガイド板２はケース内側に対して上向きに勾配を持たせ、ガイド板２の横幅は画鋲３がガイド板２上に載った際に画鋲３頭面の先が少し出る位の幅にする、さらに、蓋Ａの内側の上面には、ケースの蓋Ａを閉じて上下反転させて蓋Ａが下向きの状態にあるとき縦方向に画鋲３の頭面がスライドしうる幅と深さを有する凹溝４をガイド板２の切込み１に相対するように同数の凹溝４を設けることで解決する。【選択図】図１
0003144662.tif 000002
【実用新案登録請求の範囲】
【請求項１】
透明性のあるプラスチック材で形成された蓋付きの横長状のケースで、ケース内側の一端側面に横長方向に均等な間隔でＵ字状の切込みを入れたガイド板を設ける、またガイド板はケース内側に対して上向きに勾配を持たせ、またガイド板の横幅は画鋲がガイド板上に載った際に画鋲の頭面の先が少し出る位の幅にする、さらに、蓋の内側の上面には、ケースに蓋を閉じて上下反転させて蓋が下向きの状態にあるとき縦方向に画鋲の頭面がスライドしうる幅と深さを有する凹溝を、ケース内側のガイド板の切込みに相対するように同数の凹溝を蓋の内側上面に設けたことを特徴とする、画鋲ケース。
【請求項２】
請求項１記載の画鋲ケースで、ケース内側の一端側面に設けたガイド板と同様のガイド板を他端側面に設ける、即ちケース内側の両側面にガイド板を設けたことを特徴とする、画鋲ケース。
【請求項３】
請求項１記載の画鋲ケースで、ケース内側の他端側に支持板を設けたことを特徴とする、画鋲ケース。
【考案の詳細な説明】
【技術分野】
【０００１】本考案は、画鋲（二重画鋲）を収納し保管する、画鋲ケースに関する。
【背景技術】
【０００２】従来から、画鋲はケースに乱雑に収納され保管していることが多く、使用する場合はケースの蓋を開き指先で画鋲を摘み取り提示板等に打込んでいた。
【考案の開示】
【考案が解決しようとする課題】
【０００３】本考案の課題は、ケース内に乱雑に収納されている画鋲を摘み取るには、摘み易い画鋲を選択する必要があり手間がかかり煩雑であった、またその際画鋲の針先が指先に刺さり怪我をする危険性もあり取り扱いが不便であった。
本考案は、ケース内の構造に工夫を加えることによってケース内の画鋲を針先に触れずに安全に素早く摘み取ることのできる画鋲ケースを提供する。
【課題が解決するための手段】
【０００４】本課題を解決するために、本考案の画鋲ケースは、図１に示すように、把持可能な横長状の蓋（Ａ）付きケース（Ｂ）で透明性のあるプラスチック材で形成され、ケース（Ｂ）内側の一端側面に横長方向に均等な間隔でＵ字状の切込み（１）を入れたガイド板（２）を設ける、また該ガイド板（２）はケース内側に対して上向きに勾配を持たせる（図３参照）、またガイド板（２）の横幅は画鋲（３）がガイド板（２）上に載った際に画鋲（３）頭面の先が少し出る位の幅にする（図４参照）、さらに、蓋（Ａ）の内側の上面には、ケースを上下反転させて蓋（Ａ）が下向きの状態にあるとき縦方向に画鋲（３）の頭面がスライドしうる幅と深さを有する凹溝（４）を、ケース内側に設けたガイド板（２）のＵ字状の切込み（１）に相対するように同数の凹溝（４）を設けたことを特徴とする。
【考案の効果】
【０００５】請求項１記載の本考案の画鋲ケースは、予め適当な数量（ケース容量に対して約半分の数量が良いと思われる）の画鋲を画鋲ケースに収納させておき、画鋲を使用したい場合は先ずケースの蓋を閉じケース内のガイド板が手前にある状態でケース本体を把持して外側方向（左回転）に反転してケースが裏返しになった状態でケースを水平にして左右に２〜３度振ると振動でケースの蓋の凹溝の大部分に画鋲の頭面が挿入され、さらに、ケース本体を半回転させ元の状態に戻る回転途中でケース内のガイド板が下方（ケースが横向き状態）にある際に画鋲はケースの蓋の凹溝をスライドしてガイド板のＵ字状の切込みを通過してガイド板上に画鋲の頭面が到達する、そしてケース本体は一回転して元の状態に戻りケースの蓋を開けるとケース内側に勾配を持ったガイド板上のＵ字状の切込みに画鋲の針を挿入し、さらにガイド板より画鋲の頭面の先端一部が出た状態で固着される（図４参照）、そして図５に示すように画鋲（３）の先端を人差し指（６）の指先で引っ掛け親指（７）の指先で素早く簡単に針先に触れずに摘み取ることができ、画鋲の打込み作業の効率化が得られる。
また透明なケースにすることで前記一連の作業に於いて、ケース内の画鋲の動きを目で確認しながらできるため作業効率が上がりの確実性が良い。
【０００６】請求項２記載の本考案の画鋲ケースは、請求項１記載の画鋲ケースでケース内側の他端側面にもガイド板を設ける、即ちケース内側のガイド板を両側面に設けることで画鋲をガイド板上に固着させるための作業でケース本体を回転させる方向を左右どちらに回転させてもガイド板の何れかに画鋲が固着されるため利き手に関係なく何方にも使用できる効果がある。
【０００７】請求項３記載の本考案の画鋲ケースは、図６及び図７に示すように、請求項１記載の画鋲ケースに、ケース内側の他端側に画鋲抜き取り具を挟持するための支持板（５）を設けることで画鋲抜き取り具をケース内に固定して保管することができ一連の作業で画鋲の動きの邪魔に成らない効果がある。
【考案を実施するための最良の形態】以下、この考案の実施の形態を説明する。【０００８】本考案の第１実施例は、把持可能な横長状の透明なプラスチック材で形成され、図１の蓋（Ａ）及びケース（Ｂ）とから構成され、ケース（Ｂ）内側の一端側面に横長方向に均等な間隔で画鋲（３）の針部分が通過しうるＵ字状の切込み（１）を入れたガイド板（２）を設ける、また該ガイド板（２）はケース内側に対して上向きに勾配を持たせ、ガイド板（２）の横幅は画鋲（３）がガイド板（２）に載った際に画鋲（３）頭面の先端が少し出る位の幅にする（図４参照）、さらに、蓋（Ａ）の内側の上面に、ケースを上下反転させて蓋（Ａ）が下向きの状態にあるとき縦方向に画鋲（３）の頭面がスライドしうる幅と深さを有する凹溝（４）を、ケース内側のガイド板（２）に設けた切込み（１）に相対するように同数の凹溝（４）を設けたことを特徴とする、画鋲ケースである。【０００９】本考案の第２実施例は上記第１実施例の画鋲ケースで、ケース内側の他端側に上記記載のガイド板と同様の構造のガイド板を設ける、即ちケース内側の両側面にガイド板を設けたことを特徴とする、画鋲ケースである。【００１０】本考案の第３実施例は上記第１実施例の画鋲ケースで、図６及び図７に示すように、ケース内側の他端側に支持板（５）を設けたことを特徴とする、画鋲ケースである。
【図面の簡単な説明】
【００１１】
【図１】（Ａ）画鋲ケースの蓋部分で上方からの斜視図。（Ｂ）画鋲ケースの上方からの斜視図。
【図２】図１（Ａ）のＸ−Ｘ’線に沿う断面図。
【図３】図１（Ｂ）のＹ−Ｙ’線に沿う断面図。
【図４】画鋲ケースのガイド板に画鋲が載った状態の上方からの斜視図。
【図５】画鋲ケースのガイド板上の画鋲を指先で摘んだ状態の斜視図。
【図６】画鋲ケース内側の一端側面にガイド板と、他端側に支持板を設けた画鋲ケースで上方からの斜視図。
【図７】図６のＺ−Ｚ’線に沿う断面図。
【符号の説明】
【００１２】（１）    Ｕ字状の切込み。
（２）    ガイド板。
（３）    画鋲
（４）    凹溝
（５）    支持板
（６）    人差し指
（７）    親指
【図１】
0003144662.tif 000003
【図２】
0003144662.tif 000004
【図３】
0003144662.tif 000005
【図４】
0003144662.tif 000006
【図５】
0003144662.tif 000007
【図６】
0003144662.tif 000008
【図７】
0003144662.tif 000009
【手続補正書】
【提出日】平成20年5月30日(2008.5.30)
【手続補正１】
【補正対象書類名】実用新案登録請求の範囲
【補正対象項目名】請求項１
【補正方法】変更
【補正の内容】
【請求項１】
透明性のあるプラスチック材で形成された蓋付きの横長状のケースで、ケース内側の一端側面に横長方向に均等な間隔でＵ字状の切込みを入れたガイド板を設け、またガイド板はケース内側に対して上向きに勾配を持たせ、またガイド板の横幅は画鋲がガイド板上に載った際に画鋲の頭面の先が少し出る位の幅にし、さらに、蓋の内側の上面には、ケースに蓋を閉じて上下反転させて蓋が下向きの状態にあるとき縦方向に画鋲の頭面がスライドしうる幅と深さを有する凹溝を、ケース内側のガイド板の切込みに相対するように同数の凹溝を蓋の内側上面に設けたことを特徴とする、画鋲ケース。
【手続補正２】
【補正対象書類名】実用新案登録請求の範囲
【補正対象項目名】請求項２
【補正方法】変更
【補正の内容】
【請求項２】
請求項１記載の画鋲ケースで、ケース内側の一端側面に設けたガイド板と同様のガイド板を他端側面に設け、即ちケース内側の両側面にガイド板を設けたことを特徴とする、画鋲ケース。